【手続補正書】
【提出日】平成24年10月2日(2012.10.2)
【手続補正１】
【補正対象書類名】特許請求の範囲
【補正対象項目名】全文
【補正方法】変更
【補正の内容】
【特許請求の範囲】
【請求項１】
第１の搬送周波数上の、第１のエアインタフェースにしたがってパケット交換ネットワークを監視し、
回線交換ネットワークからのあるタイプのメッセージが前記第１のエアインタフェースを介して通信されることを許可するようにフィルタリングメカニズムを構成し、前記回線交換ネットワークは、前記第１のエアインタフェースと異なる第２のエアインタフェースに関連し、かつ、前記第１の搬送周波数と異なる第２の搬送周波数で動作し、
前記第１のエアインタフェースを介して前記回線交換ネットワークからメッセージを受信し、前記メッセージはあるタイプのものであり、
前記回線交換ネットワークと通信しているときに前記パケット交換ネットワークからメッセージを受信し、前記パケット交換ネットワークからのメッセージは前記第２のエアインタフェースを介して送られることを具備する無線通信の方法。
【請求項２】
前記パケット交換ネットワークを監視しながら前記回線交換ネットワークとの休止接続を維持することをさらに備える請求項１に記載の方法。
【請求項３】
前記回線交換ネットワークは第１と第２の地理的領域とを備え、前記方法は、前記パケット交換ネットワークを監視しながら前記第１の地理的領域から前記第２の地理的領域中への進入を検出することと、前記回線交換ネットワークとの通信をサポートするために、前記第２の地理的領域中のアクセスネットワークに対して識別子の要求を送ることとをさらに備え、前記要求は前記第１のエアインタフェースを介して送られる請求項１に記載の方法。
【請求項４】
前記パケット交換ネットワークは第１と第２の地理的領域とを備え、前記方法は、前記回線交換ネットワークを監視しながら前記第１の地理的領域からの前記第２の地理的領域中への進入を検出することと、及び前記パケット交換ネットワークとの通信をサポートするために、前記第２の地理的領域中のアクセスネットワークに対して登録要求を送ることとをさらに備え、前記登録要求は前記第２のエアインタフェースを介して送られる請求項１に記載の方法。
【請求項５】
前記あるタイプのメッセージは前記回線交換ネットワークからの呼び出しを備え、前記方法は、前記第２のエアインタフェースにしたがって前記呼び出しに反応して前記回線交換ネットワークと通信することをさらに備える請求項１に記載の方法。
【請求項６】
前記パケット交換ネットワークからの前記メッセージは呼び出しを含み、前記方法は、前記パケット交換ネットワークからの前記呼び出しに反応して前記回線交換ネットワークとの通信を終了し、前記パケット交換ネットワークからの前記呼び出しに反応して前記第１のエアインタフェースにしたがって前記パケット交換ネットワークと通信することをさらに含む請求項５に記載の方法。
【請求項７】
第１の搬送周波数上の第１のエアインタフェースにしたがって受信された信号から情報を回収するように構成されたアナログ回路と、前記第１のエアインタフェースはパケット交換ネットワークと関連している、
回線交換ネットワークからのあるタイプのメッセージが前記第１のエアインタフェースを介して通信されることを許可するように構成されたフィルタリングメカニズムと、前記回線交換ネットワークは、前記第１のエアインタフェースと異なる第２のエアインタフェースに関連し、かつ、前記第１の搬送周波数と異なる第２の搬送周波数で動作する、
前記フィルタリングメカニズムが、前記あるタイプのメッセージが前記第１のエアインタフェースを介して通信されることを可能にするように構成される場合に、前記回線交換ネットワークからのメッセージを、前記回収された情報から検出するように構成されたプロセッサと、
前記回路交換ネットワークと通信しているときに前記パケット交換ネットワークからメッセージを受信するように構成された受信機と、前記メッセージは前記第１のエアインタフェースを介して送られる
を具備する無線通信デバイス。
【請求項８】
前記プロセッサは前記回線交換ネットワークとの休止接続を維持するようにさらに構成されており、前記アナログ回路は前記第１のエアインタフェースにしたがって受信された信号から情報を回収するように構成されている請求項７に記載の無線通信デバイス。
【請求項９】
前記回線交換ネットワークは第１と第２の地理的領域とを備え、前記プロセッサは、前記第１の地理的領域から前記第２の地理的領域への前記無線通信デバイスの進入を検出するようにさらに構成されており、前記アナログ回路は前記第１のエアインタフェースにしたがって受信された信号から情報を回収するように構成されており、こにおいて、前記プロセッサは、前記回線交換ネットワークとの通信をサポートするために前記第２の地理的領域中のアクセスネットワークから識別子を要求するようにさらに構成されており、前記識別子要求は前記第１のエアインタフェースを介して送られる請求項７に記載の無線通信デバイス。
【請求項１０】
前記パケット交換ネットワークは第１と第２の地理的領域とを備え、前記プロセッサは、前記第１の地理的領域から前記第２の地理的領域への前記無線通信デバイスの進入を検出するようにさらに構成されており、前記アナログ回路は前記第２のエアインタフェースにしたがって受信された信号から情報を回収するように構成されており、前記プロセッサは前記パケット交換ネットワークとの通信をサポートするために前記第２の地理的領域中のアクセスネットワークに対して登録要求を送るようにさらに構成されており、前記登録要求は前記第２のエアインタフェースを介して送られる請求項７に記載の無線通信デバイス。
【請求項１１】
前記あるタイプのメッセージは前記回線交換ネットワークからの呼び出しを備え、前記アナログ回路は、前記呼び出しに反応して前記第２のエアインタフェースにしたがって受信された第２の信号から情報を回収するようにさらに構成されている請求項７に記載の無線通信デバイス。
【請求項１２】
前記パケット交換ネットワークからの前記メッセージは呼び出しを備え、前記無線通信デバイスは、前記パケット交換ネットワークからの前記呼び出しに反応して前記回線交換ネットワークとの通信を終了させるように構成され、前記パケット交換ネットワークからの前記呼び出しに反応して前記第１のエアインタフェースにしたがって前記パケット交換ネットワークと通信するようにさらに構成される請求項１１に記載の無線通信デバイス。
【請求項１３】
第１の搬送周波数上の、第１のエアインタフェースにしたがってパケット交換ネットワークを監視するための手段、
回線交換ネットワークからのあるタイプのメッセージが前記第１のエアインタフェースを介して通信されることを許可するようにフィルタリングメカニズムを構成するための手段、前記回線交換ネットワークは、前記第１のエアインタフェースと異なる第２のエアインタフェースに関連し、かつ、前記第１の搬送周波数と異なる第２の搬送周波数で動作し、
前記第１のエアインタフェースを介して前記回線交換ネットワークからメッセージを受信するための手段、前記メッセージはあるタイプのものであり、
前記回線交換ネットワークと通信しているときに、前記パケット交換ネットワークからメッセージを受信するための手段、前記パケット交換ネットワークからの前記メッセージは前記第２のエアインタフェースを介して送られることを具備する無線通信デバイス。
【請求項１４】
前記パケット交換ネットワークを監視しながら前記回線交換ネットワークとの休止接続を維持するための手段をさらに備える請求項１３に記載の無線通信デバイス。
【請求項１５】
前記回線交換ネットワークは第１と第２の地理的領域とを備え、前記無線通信デバイスは、前記パケット交換ネットワークを監視するための前記手段を実行しながら前記第１の地理的領域から前記第２の地理的領域中への進入を検出するための手段、および前記回線交換ネットワークとの通信をサポートするために、前記第２の地理的領域中のアクセスネットワークに対して識別子の要求を送るための手段をさらに備え、前記要求は前記第１のエアインタフェースを介して送られる請求項１３に記載の無線通信デバイス。
【請求項１６】
前記パケット交換ネットワークは第１と第２の地理的領域とを備え、前記無線通信デバイスは、前記回線交換ネットワークを監視するための前記手段を実行しながら前記第１の地理的領域から前記第２の地理的領域中への進入を検出するための手段、および前記パケット交換ネットワークとの通信をサポートするために、前記第２の地理的領域中のアクセスネットワークに対して登録要求を送るための手段をさらに備え、前記登録要求は前記第２のエアインタフェースを介して送られる請求項１３に記載の無線通信デバイス。
【請求項１７】
前記あるタイプのメッセージは前記回線交換ネットワークからの呼び出しを備え、前記無線通信デバイスは、前記第２のエアインタフェースにしたがって前記呼び出しに反応して前記回線交換ネットワークと通信するための手段をさらに備える請求項１３に記載の無線通信デバイス。
【請求項１８】
前記パケット交換ネットワークからの前記メッセージは呼び出しを含み、前記無線通信デバイスは、前記パケット交換ネットワークからの前記呼び出しに反応して前記回線交換ネットワークとの通信を終了するための手段、及び前記パケット交換ネットワークからの前記呼び出しに反応して前記第１のエアインタフェースにしたがって前記パケット交換ネットワークと通信するための手段をさらに含む請求項１７に記載の無線通信デバイス。